(57)【要約】      （修正有）【課題】木炭の特質と間伐材や流木の処理として木炭を活用する。【解決手段】細片状木炭にチップ状間伐材と天然樹脂を混ぜ板状にした上に綿くずを敷き、さらにその上層に草本類の種子を分散した腐葉土を載せ最上層に最下層相当量の細片状木炭とチップ状間伐材と天然樹脂との混合物を敷き詰めて全体を約４ｃｍにし型枠から外して自然乾燥し草本類の苗床が得られる。又、前者においてチップ状間伐材を用いることなく、あるいは、その場合、細片状木炭に換え、あらかじめ水を加えた微粉炭を使用してもそれぞれ草本類の苗床が得られる。【効果】草本類が芝の場合、屋上緑化やインテリア芝などに好適に利用することができる。【選択図】図２
0003106083.tif 000002
【実用新案登録請求の範囲】
【請求項１】
細片状の木炭にチップ状間伐材と天然樹脂を混ぜて型枠内に敷き詰め、その上層に綿くずを敷き、さらにその上層に草本類の種子を分散した腐葉土を敷き詰め、最上層に最下層相当量の細片状の木炭とチップ状間伐材と天然樹脂の混合物を敷き詰め、全体を所定厚さにして型枠から外し、自然乾燥して得られる草本類の苗床。
【請求項２】
構成成分のチップ状間伐材を使用せずに得られる請求項１記載の草本類の苗床。
【請求項３】
構成成分の細片状の木炭に換え、あらかじめ水を加えた微粉炭を使用して得られる請求項２記載の草本類の苗床。
【考案の詳細な説明】
【技術分野】
【０００１】
本考案は木炭を用いた草本類の苗床に関する。
【背景技術】
【０００２】
従来、木炭の生産時に得られる粉粒炭等を練り固め練炭として、燃料に使用している。近時、間伐材や流木の処理としてそれらを原料に木炭が生産されるようになったが、燃料としては形状が不統一で取り扱いが困難であるという問題がある。炭類には木炭のほか竹炭やオカラ炭、籾殻炭、木屑炭などもあるが、燃料として取り扱いが困難な場合があり、活用方法が望まれている。特許文献１によれば、流動コンクリートを敷設し硬化した法面に木炭の粉粒体を混入させるとともに有用微生物群を介在させ、植物の根の発育を促進するというが、不明な点が多い。また、特許文献２によれば、木炭を粉砕して粉粒とし、粉粒度を整え、植物性接着剤、セメント、木酢液、木の繊維状破砕物を混ぜ合わせ圧力をかけてブロック状に成形し乾燥したものを提案し、建材として防湿、断熱、防音、防臭性に優れたものが得られるというが、木酢液や木の繊維状破砕物による経時変化がブロックの形状を不安定にしかつ環境に悪影響を及ぼすことも懸念される。
【０００３】
【特許文献１】特開平10-317384
【特許文献２】特開平11-131633
【考案の開示】
【考案が解決しようとする課題】
【０００４】
本考案は主に間伐材や流木の処理として木炭片を利用し、木炭片の特質も有効に活用せんとするものである。
【課題を解決するための手段】
【０００５】
ここにおいて本考案者は細片状の木炭にチップ状間伐材と天然樹脂を混ぜて型枠内に敷き詰め、その上層に綿くずを敷き、さらにその上層に草本類の種子を分散した腐葉土を敷き詰め、最上層に最下層相当量の細片状の木炭とチップ状間伐材と天然樹脂の混合物を敷き詰め、全体を所定厚さにして型枠から外し、自然乾燥して草本類の苗床が得られることを見出すに至った。
【０００６】
さらに、前者において、構成成分のチップ状間伐材を用いることなく草本類の苗床が得られることを見出し、また、この場合、細片状の木炭に換え、あらかじめ水を加えた微粉炭を使用しても草本類の苗床が得られることを見出すに至った。
【考案の効果】
【０００７】
本考案により得られる草本類の苗床は、綿くずの使用により補強性や除湿、断熱、防音の諸性質に優れる。細片状の木炭を使用する場合は、天然樹脂の使用量が顕著にならないので問題ないが、微粉炭を使用する場合は天然樹脂の添加量が比較的多くなるので、微粉炭を使用する場合は天然樹脂の添加に先立ち、あらかじめ水を加えて木炭片内の細孔に水が浸入して天然樹脂の進入するのを抑制するようにしておき、天然樹脂の添加量の節約をはかる。その結果、草本類の苗床として乾燥後、いずれの木炭を使用した場合も軽量性が得られ、木炭内の細孔が活かされるので、木炭による除湿、断熱、防音、防臭の諸性質が発揮される。本考案により得られる草本類の苗床はその後、草本類がよく生育するので、細片状の木炭を使用した芝の苗床は、バス停留所や自転車置き場、屋上庭園などに設置することもでき、チップ状間伐材を使用しないで得られる草本類の苗床や微粉炭を使用して得られる芝の苗床はいわゆるインテリヤ芝として室内でも使用することができる。いずれも固結を天然樹脂ベースの接着剤でおこなっているので、本考案の草本類の苗床は使用終了後、粉砕して土壌改良剤として土壌にかえしても環境問題を一切起こさないという特長がある。なお、草本類は背丈の低いものを適宜選択して使用するが、芝草が好適である。
【考案を実施するための最良の形態】
【０００８】
考案の草本類の苗床として芝草を例にとり説明すれば、屋上緑化等に使用される芝の苗床は、図２にその各層の構成物を説明するごとく、大きさ２〜３ｃｍの細片状の木炭600gにチップ状間伐材2000ｇ、天然樹脂600 ｇを混合したものの半量を600mm ×600mm ×4cm の型枠内に敷き詰め、その上層に綿くず300 ｇを敷き、さらにその上層に芝の種子50ｇを分散した腐葉土250 ｇを敷き詰め、最上層に最下層相当量の細片状の木炭とチップ状間伐材と天然樹脂の混合物を敷き詰め、全体の厚さ約4cm にし全体を型枠から外して自然乾燥し芝の苗床製品とする。
【０００９】
また、インテリヤ芝用の苗床として、図３にその各層の構成物を説明するごとく、大きさ１〜３ｃｍの細片状の木炭300 ｇに天然樹脂50ｇを混合したものの半量を直径24ｃｍの型枠に敷き詰め、その上に綿くず50ｇを敷き、さらにその上に腐葉土50ｇに芝の種子30ｇを混合したものを敷き詰め、最後に最下層に使用した残量を載せ、敷き詰めて全体の厚さ約4cm にし全体を型枠から外して自然乾燥し製品とする。なお、インテリヤ芝用の苗床として用いる細片状の木炭は、一般用の苗床に使用する細片状の木炭に比し、より小さい部分を含んでいたほうが、外観的に好ましい。
【００１０】
このほか、インテリヤ芝用の他の苗床として、図４にその各層の構成物を説明するごとく、木炭として微粉炭を使用する場合は、微粉炭300 ｇに水200 ｇを加えてから、天然樹脂50ｇを混合したものの半量を直径24ｃｍの型枠に敷き詰め、その上に綿くず50ｇを敷き、さらにその上に腐葉土50ｇに芝の種子30ｇを混合したものを敷き、最後に底部に使用した残量を載せ、敷き詰めて全体の厚さ約4cm にし全体を型枠から外して自然乾燥し製品とする。
【００１１】
天然樹脂ベースの接着剤はたとえば、エコ・リビング・コーポレーション社の販売になる天然接着剤を使用することができ、このものは天然樹脂ベースの液状接着剤であり、成分はすべて天然物であり、有害、有毒ガスは発生せず、塩素系炭化水素や非分解性環境破壊物質も含んでいない。したがって、生物に直接触れても害はなく、かつ植物性の溶剤を使用しているので、環境にも良い影響を与える。
【図面の簡単な説明】
【００１２】
【図１】本考案による草本類の苗床の形状例
【図２】本考案による芝の苗床の各層の構成物の説明図
【図３】本考案によるインテリヤ芝の苗床の各層の構成物の説明図
【図４】本考案によるインテリヤ芝の苗床の各層の構成物の説明図
【符号の説明】
【００１３】
１  草本類の苗床
【図１】
0003106083.tif 000003
【図２】
0003106083.tif 000004
【図３】
0003106083.tif 000005
【図４】
0003106083.tif 000006